(57)【要約】【課題】最も妊娠しやすい時期（排卵前後期）を早期に正確に管理することができる女性用身体管理装置を提供する。【解決手段】月経周期該当期間判定手段６において、生体電気インピーダンス測定手段２により測定した生体電気インピーダンスについての度合域と、重心動揺測定手段４により測定した基準軸に対する重心動揺についての片寄りとを判別し、その結果が高域かつ左寄りである場合にだけ排卵前後期であることを判定し、結果情報出力手段９において、この判定結果を出力する。【選択図】図２
2006254981.tif 000002
【特許請求の範囲】
【請求項１】
生体電気インピーダンスを測定する生体電気インピーダンス測定手段と、
基準軸に対する重心動揺を測定する重心動揺測定手段と、
月経周期における排卵前後期を含む構成期間のうちから対象者の現在における該当期間を判定するとともに、前記該当期間を判定するにあたって、前記生体電気インピーダンス測定手段により測定した前記生体電気インピーダンスの度合域を判別し、前記重心動揺測定手段により測定した前記基準軸に対する重心動揺の片寄りを判別し、前記生体電気インピーダンスの度合域の判別結果と前記基準軸に対する重心動揺の片寄りの判別結果とに基づいて、前記排卵前後期であることを判定する月経周期該当期間判定手段と、
前記月経周期該当期間判定手段により判定した前記該当期間を出力する結果情報出力手段と、
を備える女性用身体管理装置。
【請求項２】
前記月経周期該当期間判定手段は、前記生体電気インピーダンスの度合域の判別結果が高域であり、かつ前記基準軸に対する重心動揺の片寄りの判別結果が左寄りであることを示す第一判定基準を満たす場合にだけ、前記排卵前後期であることの判定をすることを特徴とする請求項１記載の女性用身体管理装置。
【請求項３】
前記月経周期該当期間判定手段は、前記基準軸に対する重心動揺の一定時間における左右方向に対する折り返し地点を判別し、前記左右方向に対する折り返し地点における前記基準軸から左側での回数と前記左右方向に対する折り返し地点における前記基準軸から右側での回数とを比較し、前記基準軸から左側での回数が前記基準軸から右側での回数よりも多い場合にだけ、前記左寄りであることの判別を行うことを特徴とする請求項２記載の女性用身体管理装置。
【請求項４】
前記月経周期該当期間判定手段は、前記基準軸に対する重心動揺の一定時間における前記基準軸から左側に生じた軌跡長と前記基準軸から右側に生じた軌跡長とを求めて比較し、前記基準軸から左側に生じた軌跡長が前記基準軸から右側に生じた軌跡長よりも多い場合にだけ、前記左寄りであることの判別を行うことを特徴とする請求項２記載の女性用身体管理装置。
【請求項５】
前記月経周期該当期間判定手段は、暫定排卵前後期における過去の前記基準軸に対する重心動揺の片寄りの判別結果を記憶し、前記記憶する前記暫定排卵前後期における過去の基準軸に対する重心動揺の片寄りの判別結果が右寄りであった場合には、前記第一判定基準を、前記生体電気インピーダンスの度合域の判別結果が高域であり、かつ前記基準軸に対する重心動揺の片寄りの判別結果が右寄りであることを示す第二判定基準に代えて、前記排卵前後期であることの判定をすることを特徴とする請求項２乃至４のいずれか一項に記載の女性用身体管理装置。
【請求項６】
前記月経周期該当期間判定手段は、前記基準軸に対する重心動揺の一定時間における左右方向に対する折り返し地点を判別し、前記左右方向に対する折り返し地点における前記基準軸から左側での回数と前記左右方向に対する折り返し地点における前記基準軸から右側での回数とを比較し、前記基準軸から左側での回数が前記基準軸から右側での回数よりも多くない場合にだけ、前記右寄りであることの判別を行うことを特徴とする請求項５記載の女性用身体管理装置。
【請求項７】
前記月経周期該当期間判定手段は、前記基準軸に対する重心動揺の一定時間における前記基準軸から左側に生じた軌跡長と前記基準軸から右側に生じた軌跡長とを求めて比較し、前記基準軸から左側に生じた軌跡長が前記基準軸から右側に生じた軌跡長よりも多くない場合にだけ、前記右寄りであることの判別を行うことを特徴とする請求項５記載の女性用身体管理装置。
【請求項８】
前記軌跡長が、総軌跡長であることを特徴とする請求項４又は７記載の女性用身体管理装置。
【請求項９】
前記軌跡長が、最大軌跡長であることを特徴とする請求項４又は７記載の女性用身体管理装置。
【請求項１０】
前記軌跡長が、上位平均軌跡長であることを特徴とする請求項４又は７記載の女性用身体管理装置。
【請求項１１】
前記重心動揺測定手段により測定した前記基準軸に対する重心動揺に基づいて体調を判定する体調判定手段と、
前記体調判定手段により判定した前記体調と前記月経周期該当期間判定手段により判定した前記該当期間とに基づいて食事コメント、美容コメント、運動コメントを組み合わせたアドバイス情報を判定するアドバイス情報判定手段とを更に備え、
前記結果情報出力手段は、前記アドバイス情報判定手段により判定した前記アドバイス情報を更に出力することを特徴とする請求項１乃至１０のいずれか一項に記載の女性用身体管理装置。
【請求項１２】
前記生体電気インピーダンス測定手段は、前記生体電気インピーダンスを測定するにあたって対象者の左足及び右足により通電検出するための電極群を有し、
前記重心動揺測定手段は、載り台を備え、前記載り台には、前記基準軸と、前記基準軸を境に前記対象者の左足及び右足を対称に一定位置におくための標識とを示すとともに、前記対象者の左足及び右足を一定位置においた際に前記対象者の左足及び右足が接触する位置に前記電極群を配置することを特徴とする請求項１乃至１１のいずれか一項に記載の女性用身体管理装置。
【発明の詳細な説明】
【技術分野】
【０００１】
本発明は、月経周期を構成する期間について判定する女性用身体管理装置に関する。
【背景技術】
【０００２】
従来、月経周期を構成する期間を判定するにあたっては、次のような手段により行うことが可能であった。
【０００３】
第一として、女性の基礎体温の推移を取得し、この基礎体温の推移に基づいて、月経周期を構成する期間として卵胞期及び黄体期を判定する手段である。
【０００４】
第二として、女性の生体電気インピーダンスを測定し、この生体電気インピーダンスと過去の月経周期の期間中に示す女性の生体電気インピーダンスの推移に基づいて、月経周期を構成する期間として排卵日、ＰＭＳ期、月経期及び妊娠可能期等を判定する手段である（例えば、特許文献１参照）。
【０００５】
第三として、月経開始日を取得し、周期日数（平均、最長、最短）を求め、この月経開始日及び周期日数に基づいて、月経周期を構成する期間として月経期、ダイエット期、排卵前後期、ＰＭＳ予防期及びＰＭＳ期を判定する手段である（例えば、特許文献２参照）。
【０００６】
【特許文献１】特開２００１−７８９７７号公報
【特許文献２】特開２００３−８８５２９号公報
【発明の開示】
【発明が解決しようとする課題】
【０００７】
しかしながら、上述した手段のうち、女性の基礎体温の推移から判定する手段においては、排卵日を境に低温期から高温期に推移した結果を受けて、はじめて排卵日であったことを知り得るものであった。また、測定した生体電気インピーダンスと過去の月経周期の期間中に示す女性の生体電気インピーダンスの推移から判定する手段又は月経開始日や周期日数に基づいて判定する手段においては、体調や精神状態等により月経周期や排卵日が変動することから、排卵前後期を精度よく判定するに欠けるものであった。
【０００８】
したがって、上述した手段においては、妊娠を望む者や避妊を望む者が、最も妊娠しやすい時期（排卵前後期）を早期に正確に管理することができなかった。
【０００９】
そこで、本発明は、上記のような従来の問題点を解決することを目的とするもので、最も妊娠しやすい時期（排卵前後期）を早期に正確に管理することができる女性用身体管理装置を提供することを課題とする。
【課題を解決するための手段】
【００１０】
上記目的を達成するために、本発明の女性用身体管理装置は、生体電気インピーダンスを測定する生体電気インピーダンス測定手段と、基準軸に対する重心動揺を測定する重心動揺測定手段と、月経周期における排卵前後期を含む構成期間のうちから対象者の現在における該当期間を判定するとともに、前記該当期間を判定するにあたって、前記生体電気インピーダンス測定手段により測定した前記生体電気インピーダンスの度合域を判別し、前記重心動揺測定手段により測定した前記基準軸に対する重心動揺の片寄りを判別し、前記生体電気インピーダンスの度合域の判別結果と前記基準軸に対する重心動揺の片寄りの判別結果とに基づいて、前記排卵前後期であることを判定する月経周期該当期間判定手段と、前記月経周期該当期間判定手段により判定した前記該当期間を出力する結果情報出力手段とを備える。
【００１１】
また、前記月経周期該当期間判定手段は、前記生体電気インピーダンスの度合域の判別結果が高域であり、かつ前記基準軸に対する重心動揺の片寄りの判別結果が左寄りであることを示す第一判定基準を満たす場合にだけ、前記排卵前後期であることの判定をすることを特徴とする。
【００１２】
また、前記月経周期該当期間判定手段は、前記基準軸に対する重心動揺の一定時間における左右方向に対する折り返し地点を判別し、前記左右方向に対する折り返し地点における前記基準軸から左側での回数と前記左右方向に対する折り返し地点における前記基準軸から右側での回数とを比較し、前記基準軸から左側での回数が前記基準軸から右側での回数よりも多い場合にだけ、前記左寄りであることの判別を行うことを特徴とする。
【００１３】
また、前記月経周期該当期間判定手段は、前記基準軸に対する重心動揺の一定時間における前記基準軸から左側に生じた軌跡長と前記基準軸から右側に生じた軌跡長とを求めて比較し、前記基準軸から左側に生じた軌跡長が前記基準軸から右側に生じた軌跡長よりも多い場合にだけ、前記左寄りであることの判別を行うことを特徴とする。
【００１４】
また、前記月経周期該当期間判定手段は、暫定排卵前後期における過去の前記基準軸に対する重心動揺の片寄りの判別結果を記憶し、前記記憶する前記暫定排卵前後期における過去の基準軸に対する重心動揺の片寄りの判別結果が右寄りであった場合には、前記第一判定基準を、前記生体電気インピーダンスの度合域の判別結果が高域であり、かつ前記基準軸に対する重心動揺の片寄りの判別結果が右寄りであることを示す第二判定基準に代えて、前記排卵前後期であることの判定をすることを特徴とする。
【００１５】
また、前記月経周期該当期間判定手段は、前記基準軸に対する重心動揺の一定時間における左右方向に対する折り返し地点を判別し、前記左右方向に対する折り返し地点における前記基準軸から左側での回数と前記左右方向に対する折り返し地点における前記基準軸から右側での回数とを比較し、前記基準軸から左側での回数が前記基準軸から右側での回数よりも多くない場合にだけ、前記右寄りであることの判別を行うことを特徴とする。
【００１６】
また、前記月経周期該当期間判定手段は、前記基準軸に対する重心動揺の一定時間における前記基準軸から左側に生じた軌跡長と前記基準軸から右側に生じた軌跡長とを求めて比較し、前記基準軸から左側に生じた軌跡長が前記基準軸から右側に生じた軌跡長よりも多くない場合にだけ、前記右寄りであることの判別を行うことを特徴とする。
【００１７】
また、前記軌跡長が、総軌跡長であることを特徴とする。
【００１８】
また、前記軌跡長が、最大軌跡長であることを特徴とする。
【００１９】
また、前記軌跡長が、上位平均軌跡長であることを特徴とする。
【００２０】
また、前記重心動揺測定手段により測定した前記基準軸に対する重心動揺に基づいて体調を判定する体調判定手段と、前記体調判定手段により判定した前記体調と前記月経周期該当期間判定手段により判定した前記該当期間とに基づいて食事コメント、美容コメント、運動コメントを組み合わせたアドバイス情報を判定するアドバイス情報判定手段とを更に備え、前記結果情報出力手段は、前記アドバイス情報判定手段により判定した前記アドバイス情報を更に出力することを特徴とする。
【００２１】
また、前記生体電気インピーダンス測定手段は、前記生体電気インピーダンスを測定するにあたって対象者の左足及び右足により通電検出するための電極群を有し、前記重心動揺測定手段は、載り台を備え、前記載り台には、前記基準軸と、前記基準軸を境に前記対象者の左足及び右足を対称に一定位置におくための標識とを示すとともに、前記対象者の左足及び右足を一定位置においた際に前記対象者の左足及び右足が接触する位置に前記電極群を配置することを特徴とする。
【発明の効果】
【００２２】
本発明の女性用身体管理装置は、月経周期該当期間判定手段において、生体電気インピーダンスの度合域と基準軸に対する重心動揺の片寄りとを判別し、その結果に基づいて排卵前後期であることを判定し、結果情報出力手段において、この判定結果を出力する。これによると、月経周期を構成する期間のうちの排卵前後期に入ると直ちに排卵前後期に入ったことを知ることができる。したがって、最も妊娠しやすい時期を早期に正確に管理することができる。
【００２３】
また、特に、月経周期該当期間判定手段において、判別結果が高域かつ左寄りである場合にだけ排卵前後期であることを判定する。これによると、月経周期を構成する期間のうちの排卵前後期に入ると直ちに排卵前後期に入ったことを確実に知ることができる。したがって、最も妊娠しやすい時期を早期により正確に管理することができる。
【００２４】
また、特に、月経周期該当期間判定手段において、基準軸に対する重心動揺の一定時間における左右方向に対する折り返し地点の基準軸から左側と右側とでの回数を比較し、左側での回数が右側での回数よりも多い場合にだけ左寄りであることを判別する。これによると、月経周期を構成する期間のうちの排卵前後期に入ると直ちに排卵前後期に入ったことをより確実に知ることができる。
【００２５】
また、特に、月経周期該当期間判定手段において、基準軸に対する重心動揺の一定時間における基準軸からの左側と右側とに生じた軌跡長を比較し、左側に生じた軌跡長が右側に生じた軌跡長よりも多い場合にだけ左寄りであることを判別する。これによると、月経周期を構成する期間のうちの排卵前後期に入ると直ちに排卵前後期に入ったことをより確実に知ることができる。この場合、軌跡長が、総軌跡長、最大軌跡長又は上位平均軌跡長であると特に有効である。
【００２６】
また、特に、月経周期該当期間判定手段は、過去に、暫定排卵前後期において基準軸に対する重心動揺の片寄りの判別結果が右寄りであった場合には、判別結果が高域かつ左寄りである場合にだけを、判別結果が高域かつ右寄りである場合にだけに代えて、排卵前後期であることを判定する。これによると、一般的でない重心動揺を生ずる対象者であっても排卵前後期に入ったことを確実に知ることができる。
【００２７】
また、アドバイス情報判定手段において、体調と該当期間とに基づいて食事コメント、美容コメント、運動コメントを組み合わせたアドバイス情報を判定し、結果情報出力手段において、このアドバイス情報を出力する。これによると、食事、美容、運動は心身に影響する要素であることから、被測定者の月経周期や排卵日の変動の抑制につながるため、より正確に管理することができる。
【００２８】
また、載り台において、基準軸を境に左足及び右足を対称に一定位置におくための基準軸と標識とを示すとともに、左足及び右足が接触する位置に電極群を配置する。これによると、測定の度に正確な位置に載れるため信頼のあるデータを得ることができるため、より正確に管理することができる。
【発明を実施するための最良の形態】
【００２９】
本発明の女性用身体管理装置は、図２の機能的構成を示すブロック図に示すように、体重測定手段１、生体電気インピーダンス測定手段２、個人的情報入力手段３、重心動揺測定手段４、体組成演算手段５、月経周期該当期間判定手段６、体調判定手段７、アドバイス情報判定手段８及び結果情報出力手段９から構成し、対象者（身体の管理をうける女性）の身体の管理に供する。
【００３０】
体重測定手段１では、対象者の体重を測定する。
【００３１】
生体電気インピーダンス測定手段２では、対象者の生体電気インピーダンスを測定する。
【００３２】
個人的情報入力手段３では、対象者の性別、生年月日、身長、月経開始日等の個人的情報を入力する。
【００３３】
重心動揺測定手段４では、対象者の基準軸（測定基準位置を区分する軸）に対する重心動揺を測定する。
【００３４】
体組成演算手段５では、体重測定手段１により測定した体重と、生体電気インピーダンス測定手段２により測定した生体電気インピーダンスと、個人的情報入力手段３により入力した個人的情報とに基づいて、体組成（体脂肪、内臓脂肪、皮下脂肪、筋肉、骨、体水分その他の体内成分についての総称として一般的に呼ばれている。）を演算する。
【００３５】
月経周期該当期間判定手段６では、生体電気インピーダンス測定手段２により測定した生体電気インピーダンス（体重測定手段１により測定した体重に基づいて補正したものでもよい。）の推移から月経周期における排卵前後期を含む構成期間のうちから対象者の現在における該当期間を判定する。そして、この該当期間を判定するにあたって、生体電気インピーダンス測定手段２により測定した生体電気インピーダンスの度合域を判別し、重心動揺測定手段４により測定した基準軸に対する重心動揺の片寄りを判別し、生体電気インピーダンスの度合域の判別が高域であり、かつ基準軸に対する重心動揺の片寄りの判別が左寄りであることを示す第一判定基準を満たす場合にだけ、排卵前後期であることを判定する。
【００３６】
ここで、左寄りであることの判別については、次のように行う。
i）基準軸に対する重心動揺の一定時間における左右方向に対する折り返し地点を判別し、左右方向に対する折り返し地点における基準軸から左側での回数と左右方向に対する折り返し地点における基準軸から右側での回数とを比較し、基準軸から左側での回数が基準軸から右側での回数よりも多い場合にだけ左寄りであることの判別を行う。
ii）基準軸に対する重心動揺の一定時間における基準軸からの左側に生じた軌跡長と基準軸からの右側に生じた軌跡長とを求めて比較し、基準軸から左側に生じた軌跡長が基準軸から右側に生じた軌跡長よりも多い場合にだけ左寄りであることの判別を行う。なお、このときの軌跡長とは、総軌跡長、最大軌跡長又は上位平均軌跡長のことを示す。
【００３７】
また、基準軸に対する重心動揺の片寄りの判別が左寄りであることを判定要件とした理由は、一般的な女性は、排卵前後期だけに、基準軸に対する重心動揺が左寄りとなる特異性を示すからである。なお、この特異性は、月経周期に伴う卵胞ホルモン（エストロゲン）や黄体ホルモン（プロゲステロン）の変化によって姿勢調節を司る中枢神経系に影響が起こるためと考えられる。
【００３８】
体調判定手段７では、重心動揺測定手段４により測定した基準軸に対する重心動揺に基づいて体調を判定する。
【００３９】
アドバイス情報判定手段８では、体調判定手段７により判定した体調と月経周期該当期間判定手段６により判定した該当期間とに基づいて食事コメント、美容コメント、運動コメントを組み合わせたアドバイス情報を判定する。
【００４０】
結果情報出力手段９では、月経周期該当期間判定手段６により判定した該当期間及びアドバイス情報判定手段８により判定したアドバイス情報を出力する。
【００４１】
このように構成した女性用身体管理装置によると、月経周期該当期間判定手段６において、生体電気インピーダンスの度合域と基準軸に対する重心動揺の片寄りとを判別し、その結果が高域かつ左寄りである場合にだけ排卵前後期であることを判定し、結果情報出力手段９において、この判定結果を出力することから、月経周期を構成する期間のうちの排卵前後期に入ると直ちに排卵前後期に入ったことを知りことができ、最も妊娠しやすい時期を早期に正確に管理することが可能となる。
【００４２】
なお、月経周期該当期間判定手段６において、該当期間について、生体電気インピーダンス測定手段２により測定した生体電気インピーダンスの推移から判定したが、基礎体温を取得するための体温取得手段を備え、この取得した基礎体温の値の推移から判定したり、個人的情報入力手段３により月経開始日及び周期日数を入力し、この入力した月経開始日及び周期日数に基づいて判定したりしてもよい。
【００４３】
また、排卵前後期だけに、基準軸に対する重心動揺が右寄りとなる特異性を示す一般的でない女性が存在することから、月経周期該当期間判定手段６では、過去に、暫定卵前後期（重心動揺に基づかないで経験に基づいて求めた卵前後期をいう。）において基準軸に対する重心動揺の片寄りの判別をし、この判別結果が右寄りであった場合には、第一判定基準を、生体電気インピーダンスの度合域の判別結果が高域であり、かつ基準軸に対する重心動揺の片寄りの判別結果が右寄りであることを示す第二判定基準に代えて、排卵前後期であることの判定をしてもよい。一般的でない女性でも排卵前後期に入ったことを確実に知ることが可能となる。すなわち、全ての女性を対象とした管理が可能となる。
【００４４】
ここで、右寄りであることの判別については、左寄りであることの判別についてのときと同様に、次のように行う。
i）基準軸に対する重心動揺の一定時間における左右方向に対する折り返し地点を判別し、左右方向に対する折り返し地点における基準軸から左側での回数と左右方向に対する折り返し地点における基準軸から右側での回数とを比較し、基準軸から左側での回数が基準軸から右側での回数よりも多くない場合にだけ右寄りであることの判別を行う。
ii）基準軸に対する重心動揺の一定時間における基準軸からの左側に生じた軌跡長と基準軸からの右側に生じた軌跡長とを求めて比較し、基準軸から左側に生じた軌跡長が基準軸から右側に生じた軌跡長よりも多くない場合にだけ右寄りであることの判別を行う。なお、このときの軌跡長とは、総軌跡長、最大軌跡長又は上位平均軌跡長のことを示す。
【００４５】
以下、上述した形態における実施例について具体的に説明する。
【実施例】
【００４６】
まず、図１に示す外観図と、図３に示す構造的構成を示すブロック図と、先に示した図２とを主に用い、その他の図を副に用いて、本発明に係わる女性用身体管理装置の具体的な構成について説明する。
【００４７】
本発明に係わる女性用身体管理装置は、電源３１、各種スイッチ３２、電流供給回路３３、通電用電極３４、測定用電極３５、電圧検出回路３６、重量センサ３７、荷重検出回路３８、ＥＥＰＲＯＭ３９、ＬＣＤ４０及びマイクロコンピュータ４１を外体４２（基台４２ａ及び載り台４２ｂ）に備える。
【００４８】
電源３１は、外体４２の内部に備え、本装置の電気系統各部に電力を供給する。
【００４９】
各種スイッチ３２は、スタートスイッチ３２ａ、設定キー３２ｂ、変更キー３２ｃ及び切替キー３２ｄから成る。そして、スタートスイッチ３２ａは、外体４２の側面に備え、電源３１から電力を供給し、本装置の動作を開始するためのものである。設定キー３２ｂは、載り台４２ｂの上面に備え、ＬＣＤ４０に表示している個人的情報（性別、生年月日、身長、月経開始日など）等を確定するためのものである。変更キー３２ｃは、載り台４２ｂの上面に備え、個人的情報等を変更するためのものである。切替キー３２ｄは、載り台４２ｂの上面に備え、ＬＣＤ４０の表示画面を切替えるためのものである。
【００５０】
電流供給回路３３は、外体４２の内部に有し、マイクロコンピュータ４１からの制御により身体に流すための電流を発生する。通電用電極３４は、足裏と接触するように載り台４２ｂの上面に有し、一方の通電用電極３４から身体を通して他方の通電用電極３４に電流を流す。測定用電極３５は、足裏と接触するように載り台４２ｂの上面に有し、一方の通電用電極３４から他方の通電用電極３４に流された電流により身体における生体電気インピーダンスに基づいて生ずる電圧を検出する。電圧検出回路３６は、外体４２の内部に有し、検出した身体における生体電気インピーダンスに基づいて生じた電圧を増幅し、デジタル変換する。なお、図１に示すように、載り台４２ｂには、基準軸Ｘと、この基準軸Ｘを境に対象者の左足及び右足を対称に一定位置におくための標識Ｒとを有し、通電用電極３４及び測定用電極３５は、対象者の左足及び右足をこの標識Ｒを目印（測定基準位置）として、一定位置においた際に対象者の左足及び右足が接触する位置に配置するものである。
【００５１】
重量センサ３７は、外体４２の内部に有し、載り台４２ｂに乗った際の体重に基づいて生ずる電圧を検出する。荷重検出回路３８は、外体４２の内部に有し、検出した体重に基づいて生じた電圧を増幅し、デジタル変換する。
【００５２】
ＥＥＰＲＯＭ３９は、外体４２の内部に有し、設定キー３２ｂにより確定された個人的情報データ、暫定排卵前後期（例えば、月経開始日から１０日乃至月経開始日から１４日の期間）における重心動揺の片寄りデータ、過去の測定データその他各種データを記憶する。
【００５３】
ＬＣＤ４０は、載り台４２ｂの上面に備え、入力状況・結果情報等について表示する。
【００５４】
マイクロコンピュータ４１は、ＣＰＵ、制御および演算用プログラム等を記憶するＲＯＭ、演算および判定結果等を一時的に記憶するＲＡＭ、タイマー、ＩＯポート等を外体４２の内部に備え、各種の演算、判定、表示等に関する制御等の処理を行う。
【００５５】
ここで、各種の演算とは、少なくとも次を含むものである。
a）荷重検出回路３８によるデジタル変換出力に基づいての体重の演算。
b）荷重検出回路３８によるデジタル変換出力に基づいての重心動揺（測定基準位置を前後左右に区分する基準軸に対する重心動揺、測定基準位置を左右に区分する基準軸に対する重心動揺）の演算。より具体的には、測定基準位置を前後左右に区分する基準軸に対する重心動揺の演算においては、測定基準位置を前後左右に区分する基準軸に対する重心動揺の一定時間における軌跡長又は動揺面積を求める。また、測定基準位置を左右に区分する基準軸に対する重心動揺の演算においては、基準軸に対する重心動揺の一定時間における左右方向に対する折り返し地点の回数（基準軸から左側での回数と基準軸から右側での回数）を求める
c）電圧検出回路３６によるデジタル変換出力に基づいての生体電気インピーダンスの演算。
d）先に演算した生体電気インピーダンスと先に演算した体重と先に確定した個人的情報とに基づいての体組成（本例では体脂肪率）の演算。
【００５６】
また、各種の判定とは、少なくとも次を含むものである。
A）先に演算した重心動揺に基づいての体調の判定。より具体的には、図８（ａ）に示すように、左右及び前後で示す基準軸に対する重心動揺が小さい場合（軌跡長が短い場合又は動揺面積が狭い場合）には、体調が良好であると判定し、図８（ｂ）に示すように、左右及び前後で示す基準軸に対する重心動揺が大きい場合（軌跡長が長い場合又は動揺面積が広い場合）には、体調が不調であると判定する。
B）月経周期における排卵前後期を含む構成期間（図１１に示す月経期、ダイエット期、排卵前後期、ＰＭＳ予防期及びＰＭＳ期）のうちから対象者の現在における該当期間の判定。より具体的には、
・該当期間が月経期であることの判定は、ＥＥＰＲＯＭ３９に記憶する月経開始日からの経過日数を求め、所定の経過日数（本例では５日）以内であった場合に行う。
・該当期間がＰＭＳ予防期であることの判定は、月経開始日から所定の経過日数を超え、先に演算した生体電気インピーダンスが低域（図１１に示す線Ｌを境に下側の区域）であり、ＥＥＰＲＯＭ３９に記憶する過去の平均周期日数に対する所定の経過日数以内であった場合に行う。
・該当期間がＰＭＳ期であることの判定は、月経開始日から所定の経過日数を超え、先に演算した生体電気インピーダンスが低域（図１１に示す線Ｌを境に下側の区域）であり、ＥＥＰＲＯＭ３９に記憶する過去の平均周期日数に対する所定の経過日数を超えていた場合に行う。
・該当期間がダイエット期であることの判定は、月経開始日から所定の経過日数を超え、先に演算した生体電気インピーダンスが高域（図１１に示す線Ｌを境に上側の区域）であり、過去の暫定排卵前後期における先に演算した折り返し地点の回数が右側での回数より左側での回数が多くなく、かつ現在における先に演算した折り返し地点の回数が右側での回数より左側での回数が多くない場合と、過去の暫定排卵前後期における先に演算した折り返し地点の回数が右側での回数より左側での回数が多く、かつ現在における先に演算した折り返し地点の回数が右側での回数より左側での回数が多くない場合とに行う。
・該当期間が排卵前後期であることの判定は、月経開始日から所定の経過日数を超え、先に演算した生体電気インピーダンスが高域（図１１に示す線Ｌを境に上側の区域）であり、過去の暫定排卵前後期における先に演算した折り返し地点の回数が右側での回数より左側での回数が多くなく、かつ現在における先に演算した折り返し地点の回数が右側での回数より左側での回数が多い場合と、過去の暫定排卵前後期における先に演算した折り返し地点の回数が右側での回数より左側での回数が多く、かつ現在における先に演算した折り返し地点の回数が右側での回数より左側での回数が多い場合とに行う。
C）先に判定した該当期間及び体調に基づいてのアドバイス情報の判定。より具体的には、図１２（ａ）〜（ｇ）に示すようなアドバイス情報の一覧表の中から、先に判定した該当期間と先に判定した体調に該当するものを判定する。
【００５７】
また、各種の表示とは、図６及び図７に示すような結果情報等の表示を少なくとも含むものである。
【００５８】
なお、外体４２、重量センサ３７、荷重検出回路３８及びマイクロコンピュータ４１による構成は体重測定手段１及び重心動揺測定手段４に、電流供給回路３３、通電用電極３４、測定用電極３５、電圧検出回路３６及びマイクロコンピュータ４１による構成は生体電気インピーダンス測定手段２に、設定キー３２ｂ、変更キー３２ｃ及びマイクロコンピュータ４１による構成は個人的情報入力手段３に、ＥＥＰＲＯＭ及びマイクロコンピュータ４１による構成は体組成演算手段５、月経周期該当期間判定手段６、体調判定手段７及びアドバイス情報判定手段８に、ＬＣＤ４０及びマイクロコンピュータ４１による構成は結果情報出力手段９に該当する。
【００５９】
次に、図４に示すメインフローチャート及び図５に示すサブルーチンフローチャートを主に用い、その他の図を副に用いて、本発明に係わる女性用身体管理装置の操作及び動作について説明する。
【００６０】
図４のメインフローチャートによる流れによると、まず、スタートスイッチ３２ａが押されると、電源３１は電気系統各部に電力を供給し、装置は動作状態となる（ステップＳ１）。次いで、マイクロコンピュータ４１において、対象者の個人的情報が過去に設定されているか否か（ＥＥＰＲＯＭ３９に対象者の個人的情報を記憶しているか否か）の判定をする（ステップＳ２）。
【００６１】
ここで、個人的情報が過去に設定されていない場合には（ステップＳ２でNO）、ＬＣＤ４０において、個人的情報（性別、生年月日、身長、月経開始日など）についての設定画面を表示する。そして、個人的情報入力手段３において、対象者の個人的情報が入力されると、ＥＥＰＲＯＭ３９では、マイクロコンピュータ４１の制御に基づいてこの入力された対象者の個人的情報を記憶する（ステップＳ３）。
【００６２】
このステップＳ４の後、又はステップＳ２で個人的情報が過去に設定されている場合（ステップＳ２でYES）には、体重測定手段１において、対象者の体重を測定し（ステップＳ４）、生体電気インピーダンス測定手段２において、対象者の生体電気インピーダンスを測定し（ステップＳ５）、重心動揺測定手段４において、対象者の基準軸に対する重心動揺及び測定基準位置を左右に区分する基準軸に対する重心動揺を測定する（ステップＳ６）。
【００６３】
続いて、マイクロコンピュータ４１において、ＥＥＰＲＯＭ３９に記憶する対象者の個人的情報（性別、身長）と、生体電気インピーダンス測定手段２により測定した対象者の生体電気インピーダンスと、体重測定手段１により測定した対象者の体重とに基づいて体組成（本例では体脂肪率）を演算する（ステップＳ７）。
【００６４】
続いて、マイクロコンピュータ４１において、重心動揺測定手段４により測定した基準軸に対する重心動揺に基づいて体調が良好であるのか不調であるのかの判定を行う（ステップＳ８）。
【００６５】
続いて、マイクロコンピュータ４１において、月経周期を構成する期間のうちから対象者の現在における該当期間について判定する（ステップＳ９）。ここでの判定については、後に図５を用いて詳述する。
【００６６】
続いて、マイクロコンピュータ４１において、図１２（ａ）〜（ｇ）に示すようなアドバイス情報を示す一覧表の中から、先に判定した該当期間（例えば、排卵前後期）と体調（例えば、良好）とに該当するコメント（例えば、図１２（ｄ）の上側の行のコメント）を判定（選択）する（ステップＳ１０）。
【００６７】
続いて、マイクロコンピュータ４１による制御に基づいて、ＬＣＤ４０において、図６に示すように体重、体脂肪率、体調、周期区分（該当期間）、アドバイスの結果情報を表示し、また、図７に示すように縦に体調の程度と横に月経周期の構成期間とを示すマトリクス表のいずれに該当しているかを表示し（ステップＳ１１）、一連の動作処理を終了する（ステップＳ１２）。
【００６８】
次に、図４のステップＳ９における判定の処理について、図５のサブルーチンフローチャートの流れによると、まず、マイクロコンピュータ４１において、ＥＥＰＲＯＭ３９に記憶する対象者の個人的情報（月経開始日）から所定の経過日数（５日以内）であるか否かを判断する（ステップＳ２１）。
【００６９】
続いて、マイクロコンピュータ４１において、月経開始日から５日以内である場合（ステップＳ２１でYES）には、月経期と判定し（ステップＳ２２）、このサブルーチンを抜ける。一方、月経開始日から５日以内でない場合（ステップＳ２１でNO）には、先に演算した生体電気インピーダンス（ＢＩ：Bioelectrical Impedance）の度合域を判断する（ステップＳ２３）。
【００７０】
続いて、マイクロコンピュータ４１において、生体電気インピーダンスの度合域が低域である場合（ステップＳ２３で低域）には、ＥＥＰＲＯＭ３９に記憶する対象者の過去の平均周期日数に対する所定日数を経過したか否かを判断する（ステップＳ２４）。
【００７１】
続いて、マイクロコンピュータ４１において、対象者の過去の平均周期日数に対する所定日数を経過した場合（ステップＳ２４でYES）には、ＰＭＳ期と判定し（ステップＳ２５）、このサブルーチンを抜ける。一方、対象者の過去の平均周期日数に対する所定日数を経過していない場合（ステップＳ２４でNO）には、ＰＭＳ予防期と判定し（ステップＳ２６）、このサブルーチンを抜ける。
【００７２】
また、ステップＳ２３で、生体電気インピーダンスの度合域が高域である場合（ステップＳ２３で高域）には、マイクロコンピュータ４１において、ＥＥＰＲＯＭにより記憶している対象者についての暫定排卵前後期（例えば、月経開始日から１０日乃至月経開始日から１４日の期間）における過去の測定基準位置（図１に示す左足と右足とを対称に一定位置におくための標識Ｒ）を左右に区分する基準軸（図１に示す中央線Ｘ）に対する重心動揺の片寄りを判断する（ステップＳ２７）。
【００７３】
ここで、重心動揺の片寄りの判別について図９を用いて説明する。基準軸（図１に示す中央線Ｘ）に対する重心動揺の一定時間（１０秒）における左右方向に対する折り返し地点を判別し、左右方向に対する折り返し地点におけるこの基準軸から左側での回数と左右方向に対する折り返し地点における基準軸から右側での回数とを比較し、基準軸から左側での回数が基準軸から右側での回数よりも多くない場合に右寄りであると判別する。また、図９に示すように、基準軸（図１に示す中央線Ｘ（＝図９に示す中央線Ｘ））に対する重心動揺の一定時間（１０秒）における左右方向に対する折り返し地点を判別し、左右方向に対する折り返し地点におけるこの基準軸から左側での回数（６回）と左右方向に対する折り返し地点におけるこの基準軸から右側での回数（４回）とを比較し、基準軸から左側での回数が基準軸から右側での回数よりも多い場合（６回>４回）に左寄りであると判別する。
【００７４】
続いて、対象者についての暫定排卵前後期における過去の重心動揺の片寄りが左寄りである場合（ステップＳ２７で左寄り）には、マイクロコンピュータ４１において、対象者についての現在における測定基準位置（図１に示す左足と右足とを対称に一定位置におくための標識Ｒ）を左右に区分する基準軸（図１に示す中央線Ｘ）に対する重心動揺の片寄りを判断する（ステップＳ２８）。なお、ここでの判断も、上述した重心動揺の片寄りの判別についてと同様に行う。
【００７５】
続いて、マイクロコンピュータ４１において、重心動揺についての片寄りが右寄りである場合（ステップＳ２８で右寄り）には、ダイエット期と判定し（ステップＳ２９）、このサブルーチンを抜ける。一方、重心動揺についての片寄りが左寄りである場合（ステップＳ２８で左寄り）には、排卵前後期と判定し（ステップＳ３０）、このサブルーチンを抜ける。
【００７６】
一方、ステップＳ２７において、対象者についての暫定排卵前後期における過去の重心動揺の片寄りが右寄りである場合（ステップＳ２７で右寄り）には、マイクロコンピュータ４１において、対象者についての現在における測定基準位置（図１に示す左足と右足とを対称に一定位置におくための標識Ｒ）を左右に区分する基準軸（図１に示す中央線Ｘ）に対する重心動揺の片寄りを判断する（ステップＳ３１）。なお、ここでの判断も、上述した重心動揺の片寄りの判別についてと同様に行う。
【００７７】
続いて、マイクロコンピュータ４１において、重心動揺についての片寄りが左寄りである場合（ステップＳ３１で左寄り）には、ダイエット期と判定し（ステップＳ３２）、このサブルーチンを抜ける。一方、重心動揺についての片寄りが右寄りである場合（ステップＳ３１で右寄り）には、排卵前後期と判定し（ステップＳ３３）、このサブルーチンを抜ける。
【００７８】
以上が本発明に係わる女性用身体管理装置についての一実施例である。
【００７９】
なお、上述した実施例においては、重心動揺についての片寄りの判別について、左右方向に対する折り返し地点におけるこの基準軸から左側での回数と左右方向に対する折り返し地点における基準軸から右側での回数とを比較することによって行ったが、次のように行っても同様に実施可能である。
【００８０】
図１０に示すように、マイクロコンピュータ４１において、基準軸（図１に示す中央線Ｘ（＝図１０に示す中央線Ｘ））に対する重心動揺の一定時間（１０秒）における基準軸からの左側に生じた軌跡長と基準軸からの右側に生じた軌跡長とを求めて比較し、基準軸からの左側に生じた軌跡長が基準軸からの右側に生じた軌跡長よりも多い場合にだけ左寄りであることを判別する。このときの軌跡長とは、総軌跡長（左側の場合：−４０（＝−６−４−１０−６−５−９）cm、右側の場合：１４（＝６＋１＋３＋０＋０.５＋３.５）cm）、最大軌跡長（左側の場合−１０cm、右側の場合６cm）又は上位平均軌跡長（左側の場合：−９.５（＝（−１０−９）／２）cm、右側の場合：４.７５（＝（６＋３.５）／２）cm）のことを示す。
【図面の簡単な説明】
【００８１】
【図１】本発明に係わる女性用身体管理装置の外観について示す外観図である。
【図２】機能的構成を示すブロック図である。
【図３】構造的構成を示すブロック図である。
【図４】操作及び動作処理の流れについて示すメインフローチャートである。
【図５】操作及び動作処理の流れについて示すサブルーチンフローチャートである。
【図６】ＬＣＤが結果情報を出力する際の主画面である。
【図７】ＬＣＤが結果情報を出力する際の副画面である。
【図８】体調の良し悪しにより重心動揺の違いを示すグラフであり、（ａ）は体調が良好である場合のグラフ、（ｂ）は体調が不調である場合のグラフである。
【図９】基準軸に対する重心動揺の一定時間における左右方向に対する折り返し地点を示すグラフである。
【図１０】基準軸に対する重心動揺の一定時間における基準軸からの左右方向に生じた軌跡長を示すグラフである。
【図１１】生体電気インピーダンスと月経周期における構成期間との関係を示すグラフである。
【図１２】構成期間と体調とに基づく食事コメント、美容コメント、運動コメントを組み合わせたアドバイス情報を示す一覧表であり、（ａ）は月経期（体調は良好不調いずれでもよい）ときのコメント、（ｂ）はダイエット期かつ体調が良好なときのコメント、（ｃ）はダイエット期かつ体調が不調なときのコメント、（ｄ）は排卵前後期（体調は良好不調いずれでもよい）ときのコメント、（ｅ）はＰＭＳ予防期（体調は良好不調いずれでもよい）ときのコメント、（ｆ）はＰＭＳ期かつ体調が良好なときのコメント、（ｇ）はＰＭＳ期かつ体調が不調なときのコメントを示す一覧表である。
【符号の説明】
【００８２】
１  体重測定手段
２  生体電気インピーダンス測定手段
３  個人的情報入力手段
４  重心動揺測定手段
５  体組成演算手段
６  月経周期該当期間判定手段
７  体調判定手段
８  アドバイス情報判定手段
９  結果情報出力手段
３１  電源
３２  各種スイッチ
３２ａ  スタートスイッチ
３２ｂ  設定キー
３２ｃ  変更キー
３２ｄ  切替キー
３３  電流供給回路
３４  通電用電極
３５  測定用電極
３６  電圧検出回路
３７  重量センサ
３８  荷重検出回路
３９  ＥＥＰＲＯＭ
４０  ＬＣＤ
４１  マイクロコンピュータ
４２  外体
４２ａ  基台
４２ｂ  載り台
【図１】
2006254981.tif 000003
【図２】
2006254981.tif 000004
【図３】
2006254981.tif 000005
【図４】
2006254981.tif 000006
【図５】
2006254981.tif 000007
【図６】
2006254981.tif 000008
【図７】
2006254981.tif 000009
【図８】
2006254981.tif 000010
【図９】
2006254981.tif 000011
【図１０】
2006254981.tif 000012
【図１１】
2006254981.tif 000013
【図１２】
2006254981.tif 000014